(57)【要約】【課題】  動画内のコメントを処理するための方法およびシステムを提供する。【解決手段】  コメント処理方法は、動画内でユーザによって選択された一部の区間を特定し、前記の特定された区間に対して前記ユーザから入力されたコメントを登録する段階、および前記動画の再生時に、コメントが登録された区間が再生される時点において、該当の区間に対して登録されたコメントのうちの少なくとも１つのコメントを表示する段階を含む。【選択図】      図４
2019054510.tif 000002
【特許請求の範囲】
【請求項１】
コンピュータで実現されるコメント処理方法であって、
動画内でユーザによって選択された一部の区間を特定し、前記の特定された区間に対して前記ユーザから入力されたコメントを登録する段階、および
前記動画の再生時に、コメントが登録された区間が再生される時点において、該当の区間に対して登録されたコメントのうちの少なくとも１つのコメントを表示する段階
を含む、コメント処理方法。
【請求項２】
前記表示する段階は、
前記少なくとも１つのコメントを、前記動画が再生される画面領域の所定の位置にレイヤ形態で表示すること
を含む、請求項１に記載のコメント処理方法。
【請求項３】
前記表示する段階は、
前記動画の再生区間全体に対するコメントタイムラインとして、コメントが登録された区間のデータを視覚化したインフォグラフィックを表示すること
を含む、請求項１に記載のコメント処理方法。
【請求項４】
前記表示する段階は
前記動画内でコメントが登録された区間に対してインジケータを利用してハイライト処理すること
を含む、請求項１に記載のコメント処理方法。
【請求項５】
前記表示する段階は、
前記動画内でコメントが登録された区間別に前記インジケータのディスプレイ要素を互いに異なるように適用し、前記インジケータのディスプレイ要素に合わせて前記少なくとも１つのコメントを表示すること
を含む、請求項４に記載のコメント処理方法。
【請求項６】
前記表示する段階は、
前記動画に対するプログレスバーを利用してコメントが登録された区間をハイライト処理すること
を含む、請求項１に記載のコメント処理方法。
【請求項７】
前記表示する段階は、
ユーザを対象に前記動画を提供する初期には、前記少なくとも１つのコメントを表示せず、ユーザがコメント表示を要求するか、あるいは、ユーザに前記動画が繰り返し提供される場合には、前記少なくとも１つのコメントを表示すること
を含む、請求項１に記載のコメント処理方法。
【請求項８】
前記の表示されたコメントが選択された場合、該当の区間に対して登録されたコメントリストを提供する段階
をさらに含む、請求項１に記載のコメント処理方法。
【請求項９】
ユーザ要求にしたがって前記動画に対して登録されたコメント全体リストを提供する段階
をさらに含み、
前記提供する段階は、
前記コメント全体リストに含まれるコメントのうちで前記動画内の一部の区間に対して登録されたコメントを、他のコメントと区分して表示すること
を含む、請求項１に記載のコメント処理方法。
【請求項１０】
前記提供する段階は、
前記コメント全体リストで前記一部の区間に対して登録されたコメントそれぞれに対し、該当の区間に関する情報を共に表示すること
を含む、請求項９に記載のコメント処理方法。
【請求項１１】
請求項１ないし１０のうちいずれか一項に記載のコメント処理方法をコンピュータに実行させるためのコンピュータプログラム。
【請求項１２】
コンピュータによって実現されるコメント処理システムであって、
コンピュータ読み取り可能な命令を実行するように実現される少なくとも１つのプロセッサ
を含み、
前記少なくとも１つのプロセッサは、
動画内でユーザによって選択された一部の区間を特定し、前記の特定された区間に対して前記ユーザから入力されたコメントを登録するコメント登録部、および
前記動画の再生時に、コメントが登録された区間が再生される時点において、該当の区間に対して登録されたコメントのうちの少なくとも１つのコメントを提供するコメント提供部
を備える、コメント処理システム。
【請求項１３】
前記コメント提供部は、
前記少なくとも１つのコメントを、前記動画が再生される画面領域の所定の位置にレイヤ形態で表示する、
請求項１２に記載のコメント処理システム。
【請求項１４】
前記コメント提供部は、
前記動画の再生区間全体に対するコメントタイムラインとして、コメントが登録された区間のデータを視覚化したインフォグラフィックを表示する、
請求項１２に記載のコメント処理システム。
【請求項１５】
前記コメント提供部は、
前記動画内でコメントが登録された区間に対してインジケータを利用してハイライト処理する、
請求項１２に記載のコメント処理システム。
【請求項１６】
前記コメント提供部は、
前記動画内でコメントが登録された区間別に前記インジケータのディスプレイ要素を互いに異なるように適用し、前記インジケータのディスプレイ要素に合わせて前記少なくとも１つのコメントを表示する、
請求項１５に記載のコメント処理システム。
【請求項１７】
前記コメント提供部は、
ユーザを対象に前記動画を提供する初期には、前記少なくとも１つのコメントを表示せず、ユーザがコメント表示を要求するか、あるいは、ユーザに前記動画が繰り返し提供される場合には、前記少なくとも１つのコメントを表示する、
請求項１２に記載のコメント処理システム。
【請求項１８】
前記コメント提供部は、
前記の提供されたコメントが選択された場合、該当の区間に対して登録されたコメントリストを提供する、
請求項１２に記載のコメント処理システム。
【請求項１９】
前記コメント提供部は、
ユーザ要求にしたがって前記動画に対して登録されたコメント全体リストを提供し、
前記コメント全体リストに含まれるコメントのうちで前記動画内の一部の区間に対して登録されたコメントを、他のコメントと区分して表示する、
請求項１２に記載のコメント処理システム。
【請求項２０】
前記コメント提供部は、
前記コメント全体リストで前記一部の区間に対して登録されたコメントそれぞれに対し、該当の区間に関する情報を共に表示する、
請求項１９に記載のコメント処理システム。
【発明の詳細な説明】
【技術分野】
【０００１】
以下の説明は、動画に対するコメントを処理する技術に関する。
【背景技術】
【０００２】
インターネット網に接続さえすれば、いつどこにいてもネットサーフィンをすることのできるユビキタスコンピュータ環境が構築された現在において、インターネットは人々にとって無くてはならない必須要素となった。
【０００３】
人々は、インターネットを利用しながら、自身が認知している情報を提供したり自身が必要とする多様な情報を得たりすることができ、互いの意見をやり取りしながら多様な情報を共有している。
【０００４】
このようなウェブサービスの１つとして、多様なウェブサイトに接続し、接続したサイト内の特定の文章に対して自身の意見や情報などを提供するコメントサービスがある。
【０００５】
個人ホームページやブログなどをはじめ、個人コンテンツサービス、ソーシャルネットワーキングサービス（ＳＮＳ：Ｓｏｃｉａｌ  Ｎｅｔｗｏｒｋｉｎｇ  Ｓｅｒｖｉｃｅ）、ポータルサービスはもちろん、その他のメディアサービスなどを含む多様なインターネットサービスが、ユーザのコメント入力を許容するようになりながら、ユーザは提示されたコンテンツに対する意見をコメント形式で他のユーザと容易に共有できるようになった。
【０００６】
例えば、特許文献１には、移動端末を利用してインターネットのウェブサイトにコメントを送信して処理する技術が開示されている。
【０００７】
しかしながら、一般的なコメントの場合は、コンテンツ全体に対するコメントしか作成することができず、ユーザがコンテンツのどの部分に反応して共感しているのか、そのコンテキストを把握することは難しい。
【先行技術文献】
【特許文献】
【０００８】
【特許文献１】韓国公開特許第１０−２００６−００５７０７９号公報
【発明の概要】
【発明が解決しようとする課題】
【０００９】
動画内でユーザによって選択された一部の区間に対するコメント作成を可能にする方法およびシステムを提供する。
【００１０】
動画を再生する過程において、再生区間に合わせてコメントを提供することができる方法およびシステムを提供する。
【課題を解決するための手段】
【００１１】
コンピュータによって実現されるコメント処理方法であって、動画内でユーザによって選択された一部の区間を特定し、前記の特定された区間に対して前記ユーザから入力されたコメントを登録する段階、および前記動画の再生時に、コメントが登録された区間が再生される時点において、該当の区間に対して登録されたコメントのうちの少なくとも１つのコメントを表示する段階を含む、コメント処理方法を提供する。
【００１２】
一側面によると、前記表示する段階は、前記少なくとも１つのコメントを、前記動画が再生される画面領域の所定の位置にレイヤ形態で表示することを含んでよい。
【００１３】
他の側面によると、前記表示する段階は、前記動画の再生区間全体に対するコメントタイムラインとして、コメントが登録された区間のデータを視覚化したインフォグラフィックを表示することを含んでよい。
【００１４】
また他の側面によると、前記表示する段階は、前記動画内でコメントが登録された区間に対してインジケータを利用してハイライト処理することを含んでよい。
【００１５】
また他の側面によると、前記表示する段階は、前記動画内でコメントが登録された区間別に前記インジケータのディスプレイ要素を互いに異なるように適用し、前記インジケータのディスプレイ要素に合わせて前記少なくとも１つのコメントを表示することを含んでよい。
【００１６】
また他の側面によると、前記表示する段階は、前記動画に対するプログレスバーを利用してコメントが登録された区間をハイライト処理することを含んでよい。
【００１７】
また他の側面によると、前記表示する段階は、ユーザを対象に前記動画を提供する初期には、前記少なくとも１つのコメントを表示せず、ユーザがコメント表示を要求するか、あるいは、ユーザに前記動画が繰り返し提供される場合には、前記少なくとも１つのコメントを表示することを含んでよい。
【００１８】
また他の側面によると、前記コメント処理方法は、前記の表示されたコメントが選択された場合、該当の区間に対して登録されたコメントリストを提供する段階をさらに含んでよい。
【００１９】
また他の側面によると、前記コメント処理方法は、ユーザ要求にしたがって前記動画に対して登録されたコメント全体リストを提供する段階をさらに含み、前記提供する段階は、前記コメント全体リストに含まれるコメントのうちで前記動画内の一部の区間に対して登録されたコメントを、他のコメントと区分して表示することを含んでよい。
【００２０】
また他の側面によると、前記提供する段階は、前記コメント全体リストで前記一部の区間に対して登録されたコメントそれぞれに対し、該当の区間に関する情報を共に表示することを含んでよい。
【００２１】
前記コメント処理方法をコンピュータに実行させるためのコンピュータプログラムを提供する。また、前記コンピュータプログラムを記録しているコンピュータ読み取り可能な記録媒体を提供する。
【００２２】
コンピュータによって実現されるコメント処理システムであって、コンピュータ読み取り可能な命令を実行するように実現される少なくとも１つのプロセッサを含み、前記少なくとも１つのプロセッサは、動画内でユーザによって選択された一部の区間を特定し、前記の特定された区間に対して前記ユーザから入力されたコメントを登録するコメント登録部、および前記動画の再生時に、コメントが登録された区間が再生される時点において、該当の区間に対して登録されたコメントのうちの少なくとも１つのコメントを提供するコメント提供部を備える、コメント処理システムを提供する。
【発明の効果】
【００２３】
本発明の実施形態によると、動画内でユーザによって選択された一部の区間に対するコメントを作成することができる。
【００２４】
本発明の実施形態によると、動画を再生する過程において、再生区間に合わせてコメントを提供することができる。
【図面の簡単な説明】
【００２５】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サーバのプロセッサが含むことのできる構成要素の例を示した図である。
【図４】本発明の一実施形態における、サーバが実行することのできる方法の例を示したフローチャートである。
【図５】本発明の一実施形態における、区間コメントを登録する過程を説明するための例示図である。
【図６】本発明の一実施形態における、区間コメントを登録する過程を説明するための例示図である。
【図７】本発明の一実施形態における、区間コメントを登録する過程を説明するための例示図である。
【図８】本発明の一実施形態における、区間コメントを提供する過程を説明するための例示図である。
【図９】本発明の一実施形態における、区間コメントを提供する過程を説明するための例示図である。
【図１０】本発明の一実施形態における、区間コメントを提供する過程を説明するための例示図である。
【図１１】本発明の一実施形態における、区間コメントを提供する過程を説明するための例示図である。
【図１２】本発明の一実施形態における、区間コメントを提供する過程を説明するための例示図である。
【図１３】本発明の一実施形態における、区間コメントを提供する過程を説明するための例示図である。
【図１４】本発明の一実施形態における、区間コメントを提供する過程を説明するための例示図である。
【発明を実施するための形態】
【００２６】
以下、本発明の実施形態について、添付の図面を参照しながら詳細に説明する。
【００２７】
本発明の実施形態は、動画に対するコメントを処理する技術に関し、より詳細には、動画の一部の区間に対してコメントを処理することができる方法およびシステムに関する。
【００２８】
本明細書において具体的に開示される事項を含む実施形態は、動画内の一部の区間に対してコメントを作成および提供することができ、これによってコメントコンテキスト把握、効率性、便宜性、コスト節減などの側面において相当な長所を達成することができる。
【００２９】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００３０】
複数の電子機器１１０、１２０、１３０、１４０は、コンピュータ装置によって実現される固定端末や移動端末であってよい。複数の電子機器１１０、１２０、１３０、１４０の例としては、スマートフォン、携帯電話機、タブレット、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）などがある。一例として、第１電子機器１１０は、無線または有線通信方式を利用し、ネットワーク１７０を介して他の電子機器１２０、１３０、１４０および／またはサーバ１５０、１６０と通信してよい。
【００３１】
通信方式が限定されることはなく、ネットワーク１７０が含むことのできる通信網（一例として、移動通信網、有線インターネット、無線インターネット、放送網）を活用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００３２】
サーバ１５０、１６０はそれぞれ、複数の電子機器１１０、１２０、１３０、１４０とネットワーク１７０を介して通信して命令、コード、ファイル、コンテンツ、サービスなどを提供する１つ以上のコンピュータ装置によって実現されてよい。一例として、サーバ１６０は、ネットワーク１７０を介して接続した第１電子機器１１０にアプリケーションのインストールのためのファイルを提供してよい。この場合、第１電子機器１１０は、サーバ１６０から提供されたファイルを利用してアプリケーションをインストールしてよい。また、第１電子機器１１０が含むオペレーティングシステム（ＯＳ：Ｏｐｅｒａｔｉｎｇ  Ｓｙｓｔｅｍ）や少なくとも１つのプログラム（一例として、ブラウザやインストールされたアプリケーション）の制御にしたがってサーバ１５０に接続してサーバ１５０が提供するサービスやコンテンツの提供を受けてもよい。例えば、第１電子機器１１０がアプリケーションの制御にしたがってネットワーク１７０を介してサービス要求メッセージをサーバ１５０に送信すると、サーバ１５０は、サービス要求メッセージに対応するコードを第１電子機器１１０に送信してよく、第１電子機器１１０は、アプリケーションの制御にしたがってコードに基づいた画面を構成して表示することにより、ユーザにコンテンツを提供してよい。
【００３３】
図２は、本発明の一実施形態における電子機器およびサーバの内部構成を説明するためのブロック図である。図２では、１つの電子機器に対する例として第１電子機器１１０の内部構成を、１つのサーバに対する例としてサーバ１５０の内部構成を説明する。他の電子機器１２０、１３０、１４０やサーバ１６０も、同一または類似の内部構成を有してよい。
【００３４】
第１電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永続的大容量記録装置を含んでよい。また、メモリ２１１、２２１には、オペレーティングシステムと、少なくとも１つのプログラムコード（一例として、第１電子機器１１０においてインストールおよび実行されるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるプログラム（一例として、上述したアプリケーション）に基づいてメモリ２１１、２２１にロードされてよい。
【００３５】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３６】
通信モジュール２１３、２２３は、ネットワーク１７０を介して第１電子機器１１０とサーバ１５０とが互いに通信するための機能を提供してもよいし、他の電子機器（一例として、第２電子機器１２０）または他のサーバ（一例として、サーバ１６０）と通信するための機能を提供してもよい。一例として、第１電子機器１１０のプロセッサ２１２がメモリ２１１のような記録装置に記録されたプログラムコードにしたがって生成した要求（一例として、検索要求）が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て第１電子機器１１０の通信モジュール２１３を通じて第１電子機器１１０に受信されてもよい。例えば、通信モジュール２１３を通じて受信されたサーバ１５０の制御信号や命令などは、プロセッサ２１２やメモリ２１１に伝達されてよく、コンテンツやファイルなどは、第１電子機器１１０がさらに含むことのできる記録媒体に記録されてよい。
【００３７】
入力／出力インタフェース２１４は、入力／出力装置２１５とのインタフェースのための手段であってよい。例えば、入力装置は、キーボードまたはマウスなどの装置を含んでよく、出力装置は、アプリケーションの通信セッションを表示するためのディスプレイのような装置を含んでよい。他の例として、入力／出力インタフェース２１４は、タッチスクリーンのように入力と出力のための機能が１つに統合された装置とのインタフェースのための手段であってもよい。より具体的な例として、第１電子機器１１０のプロセッサ２１２は、メモリ２１１にロードされたコンピュータプログラムの命令を処理するにあたり、サーバ１５０や第２電子機器１２０が提供するデータを利用して構成されるサービス画面やコンテンツが、入力／出力インタフェース２１４を通じてディスプレイに表示されてよい。入力／出力インタフェース２２４も同様に、サーバ１５０のプロセッサ２２２がメモリ２２１にロードされたコンピュータプログラムの命令を処理するにあたり、サーバ１５０が提供するデータを利用して構成される情報を出力してよい。
【００３８】
また、他の実施形態において、第１電子機器１１０およびサーバ１５０は、図２の構成要素よりも多くの構成要素を含んでもよい。しかし、大部分の従来技術的構成要素を明確に図に示す必要はない。例えば、第１電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、第１電子機器１１０がスマートフォンである場合、一般的にスマートフォンが含んでいる加速度センサやジャイロセンサ、カメラ、物理的な各種ボタン、タッチパネルを利用したボタン、入力／出力ポート、振動のための振動器などのような多様な構成要素が、第１電子機器１１０にさらに含まれるように実現されてもよいことが理解できるであろう。
【００３９】
以下では、動画内のコメントを処理するための方法およびシステムの具体的な実施形態について説明する。
【００４０】
図３は、本発明の一実施形態における、サーバのプロセッサが含むことのできる構成要素の例を示した図であり、図４は、本発明の一実施形態における、サーバが実行することのできる方法の例を示したフローチャートである。
【００４１】
本実施形態に係るサーバ１５０には、コンピュータによって実現されるコメント処理システムが構成されてよい。サーバ１５０は、クライアントである複数の電子機器１１０、１２０、１３０、１４０を対象に動画および動画に対するコメントを提供するものであって、電子機器１１０、１２０、１３０、１４０にインストールされた専用アプリケーションやサーバ１５０と関連するウェブ／モバイルサイトへの接続によるサービス要求に対応する動画および動画に対するコメントを提供してよい。
【００４２】
サーバ１５０は、図４に係るコメント処理方法を実行するために、サーバ１５０のプロセッサ２２２の構成要素として、図３に示すように、コメント登録部３１０およびコメント提供部３２０を備えてよい。実施形態によっては、プロセッサ２２２の構成要素は、選択的にプロセッサ２２２に含まれても、除外されてもよい。また、実施形態によっては、プロセッサ２２２の構成要素は、プロセッサ２２２の機能の表現のために分離されても、併合されてもよい。
【００４３】
このようなプロセッサ２２２およびプロセッサ２２２の構成要素は、図４のコメント処理方法が含む段階４１０〜４３０を実行するようにサーバ１５０を制御してよい。例えば、プロセッサ２２２およびプロセッサ２２２の構成要素は、メモリ２２１が含むオペレーティングシステムのコードおよび少なくとも１つのプログラムのコードによる命令を実行するように実現されてよい。
【００４４】
ここで、プロセッサ２２２の構成要素は、サーバ１５０に記録されたプログラムコードが提供する命令にしたがってプロセッサ２２２によって実行される、プロセッサ２２２の互いに異なる機能の表現であってよい。例えば、サーバ１５０がコメントを登録するように上述した命令にしたがってサーバ１５０を制御するプロセッサ２２２の機能的表現として、コメント登録部３１０が利用されてよい。
【００４５】
段階４１０で、プロセッサ２２２は、サーバ１５０の制御と関連する命令がロードされたメモリ２２１から必要な命令を読み取ってよい。この場合、読み取られた命令は、プロセッサ２２２が以下で説明される段階４２０〜４３０を実行するように制御するための命令を含んでよい。
【００４６】
段階４２０で、コメント登録部３１０は、電子機器（例えば、第１電子機器１１０）のユーザが確認中である動画内でユーザによって選択された一部の区間を特定し、特定された区間に対してユーザから入力されたコメントを該当の区間と関連付けて記録することにより、コメントを登録してよい。動画が再生される過程において、ユーザは、該当の動画に対する自身の意見をコメント形態で作成してよい。動画全体に対するコメント（以下、「共通コメント」と称する）はもちろん、特に動画内から一部の区間を選択し、該当の区間に対するコメント（以下、「区間コメント」と称する）を作成してよい。動画内で区間コメントを作成するための区間（以下、「コメント区間」と称する）を特定するにあたり、ユーザが再生中の動画から一場面を選択する場合（例えば、ロングタップや一時停止などによって）、該当の場面をコメント区間として特定してよいが、このとき、区間コメントは場面単位で管理されてよい。他の例として、ユーザが選択した場面を基準に一定の時間単位（例えば、１０秒間）の映像区間をコメント区間として特定してよいが、このとき、区間比重が一定の割合以上で重なるコメント区間を１つのグループとし、グループ別に区間コメントを管理してよい。また他の例として、動画の全体が事前に定められた区間単位（例えば、１０秒間）で均等に区分される場合、ユーザが選択した場面が含まれる単位区間をコメント区間として特定してよいが、このとき、区間コメントは、区間単位別に管理されてよい。共通コメントや区間コメントは、テキスト、音声、イメージ、動画などのような多様な形態で作成されてよく、多様な感情をイメージで表現した絵文字やスタンプなどを利用することも可能である。区間コメントの場合、コメント登録部３１０は、コメント区間に関する情報をユーザによって入力されたコメントと共に記録することにより、区間コメント登録を完了してよい。このとき、コメント区間に関する情報は、コメント区間に該当する場面や映像区間自体であってもよいし、該当の区間に対する動画内の位置値であってもよい。したがって、ユーザは、動画内から所望する区間（すなわち、特定の場面や映像区間）を選択し、該当の区間に対するコメントを作成することができるようになる。
【００４７】
段階４３０で、コメント提供部３２０は、ユーザの電子機器（例えば、第１電子機器１１０）で動画を再生する過程において、動画内で区間コメントが登録されたコメント区間に対してハイライト処理を行ってよい。このとき、ハイライト処理されたコメント区間が再生される時点において、該当の区間コメントを表示してよい。一例として、コメント提供部３２０は、コメント区間が再生される時点において、該当の区間に対して登録された区間コメントを画面領域の所定の位置にレイヤ形態（例えば、ポップアップ画面）で表示してよい。区間コメントおよび共通コメントを含む動画に対するコメント全体は、ユーザ要求にしたがって別の画面に表示されるのに対し、区間コメントの場合は、該当のコメントが登録された区間が再生される時点において、画面の一領域、例えば、画面下端に重なって表示されてよい。このとき、１つのコメント区間に対して２つ以上の区間コメントが登録されている場合、コメント提供部３２０は、２つ以上の区間コメントから少なくとも１つの代表コメントを選定し、選定された代表コメントを表示してよい。代表コメントは、コメント区間別に該当の区間に対して登録されたコメントのうちから選定されてもよいし、または動画に対するコメント全体を対象として選定された一部のコメントのうちから再選定されてもよい。代表コメントは、ベストコメントのように他のユーザからの肯定的な反応数（例えば、「いいね」の数、「おすすめ」の数など）などを基準に選定されてよいが、代表コメントの選定基準がこれに限定されることはない。また、コメント提供部３２０は、ユーザがハイライト処理されたコメント区間または区間コメントが表示されたレイヤを選択した場合（例えば、シングルタップなどによって）、該当のコメント区間に対して登録されたすべての区間コメントを提供してよい。これにより、動画全体ではなく、動画内の一部分であるコメント区間を単位としてユーザ間のコミュニティを提供することができるようになる。
【００４８】
図５〜図７は、本発明の一実施形態における、区間コメントを登録する過程を説明するための例示図である。
【００４９】
図５は、動画を提供するユーザインタフェース（ＵＩ）画面５００を示している。ユーザインタフェース画面５００には、動画再生領域５１０と、動画の再生率などを表示するためのプログレスバー５０１と、が含まれてよい。
【００５０】
ユーザが区間コメントを残そうとする場合、ユーザインタフェース画面５００上の動画再生領域５１０にて再生中の動画内からコメント区間を選択してよい。例えば、ユーザが動画再生領域５１０で再生中の動画を視聴している最中に、コメントを残したい場面で動画再生領域５１０をロングタップするか、または一時停止要求をした場合、該当の場面または該当の場面を含む一定の区間の映像がコメント区間として選択されてよい。このとき、コメント登録部３１０は、コメント区間が選択されると再生中の動画を一時停止させ、動画内でユーザによって選択された場面の再生位置に対応させてプログレスバー５０１上にコメント作成ＵＩ５０２をアクティブ化させてよい。
【００５１】
コメント登録部３１０は、ユーザがコメント作成ＵＩ５０２を利用してコメント作成を要求すると、図６に示すように、コメント作成画面６２０を提供してよい。コメント作成画面６２０には、コメントをテキストで作成するためのインタフェース、音声形態のコメントを作成するためのインタフェース、絵文字やスタンプを入力するためのインタフェースなどが含まれてよい。ユーザがコメント作成画面６２０を利用してコメントを作成すると、コメント登録部３１０は、ユーザが作成したコメントをコメント区間と関連付けて記録することにより、区間コメント登録を完了してよい。
【００５２】
コメント登録部３１０は、区間コメント登録が完了すると、図７に示すように、区間コメント画面７００を提供してよい。区間コメント画面７００では、ユーザが選択したコメント区間を示す映像情報７１０と、該当のコメント区間に対してユーザが作成した区間コメント７３０と、を共に示してよく、このとき、同じコメント区間に対して他のユーザが登録したコメントリスト７４０を共に示してよい。映像情報７１０は、ユーザが動画内で選択した場面イメージで構成されてよい。
【００５３】
区間コメント画面７００には、ユーザが作成した区間コメント７３０に対する、修正メニュー７３１、削除メニュー７３２などを含む編集ツールが提供されてよい。また、区間コメント画面７００には、他のユーザが登録した区間コメントに対して返信を登録することができる機能、「いいね」や「おすすめ」などの反応を登録することができる機能などがさらに含まれてよい。したがって、コメント登録部３１０は、ユーザによる区間コメント登録が完了すると、区間コメント画面７００にユーザが動画内のどの区間に対してどのような意見を残したかを示すことができるし、同じ区間に対して他のユーザが残したコメントを共に提供することにより、ユーザ間で意見を直ぐに共有することができるようになる。
【００５４】
図８〜図１４は、本発明の一実施形態における区間コメントを提供する過程を説明するための例示図である。
【００５５】
図８は、動画を提供するユーザインタフェース画面８００を示している。ユーザインタフェース画面８００には、動画再生領域８１０と、動画の再生率などを表示するためのプログレスバー８０１と、が含まれてよい。
【００５６】
図８を参照すると、コメント提供部３２０は、動画再生領域８１０上の再生中の動画内で区間コメントが登録されたコメント区間それぞれに対し、インジケータ８０２によってハイライト処理をして表示してよい。このとき、各コメント区間の再生位置に対応させてインジケータ８０２をプログレスバー８０１上に表示してよい。コメント区間それぞれを容易に区分することができるように、各区間に対応するインジケータ８０２のディスプレイ要素（例えば、色や形状など）を互いに異なるように適用してよい。また、コメント区間別に、ユーザが残した区間コメントの件数に応じてインジケータ８０２の大きさなどを異なるように区分して表示してもよい。
【００５７】
他の例として、図９に示すように、動画の再生区間全体に対するコメントタイムラインとして、ユーザがコメントを残した区間のデータ（すなわち、コメント区間別の区間コメントの件数など）を視覚化したインフォグラフィック９０３をプログレスバー８０１上に表示してよい。ユーザは、自身が視聴している動画に対するインフォグラフィック９０３により、ユーザがコメントを残して反応した映像区間を一目で把握することができるようになる。
【００５８】
ユーザインタフェース画面８００には、ユーザが区間コメントの表示の有無（ＯＮ／ＯＦＦ）を選択的に設定するためのインタフェース８５０が含まれてよい。例えば、ユーザを対象に動画を提供するとき、デフォルトでは区間コメントの表示がオフの状態で動画を提供し、ユーザが動画を視聴している最中にインタフェース８５０を利用して区間コメントの表示を要求した場合（コメント表示をＯＮにした場合）には、コメント区間の再生時点に合わせて区間コメントを提供してよい。他の例として、ユーザが動画を初めて視聴する場合には区間コメントの表示をオフにし、同じ動画を２回以上繰り返し視聴するときには区間コメントの表示をオンにすることで、コメント区間の再生時点に合わせて区間コメントを提供してもよい。サーバ１５０がユーザそれぞれに対して動画に関する消費ログを管理することにより、ユーザが動画を初めて視聴するときには区間コメントを提供せず、同じ動画を再視聴するときに区間コメントを提供してよい。したがって、ユーザを対象に動画を提供する初期には区間コメントを表示せず、ユーザが区間コメントの表示を要求するか、あるいは、ユーザが該当の動画を再視聴するときには、区間コメントが表示されるようになる。
【００５９】
コメント提供部３２０は、動画内のコメント区間別の再生時点に合わせて区間コメントを順に表示してよく、コメント区間が再生される時点において、画面領域の所定の位置にレイヤ形態で区間コメントを表示してよい。一例として、図１０を参照すると、コメント提供部３２０は、コメント区間１０１１が再生される時点において、コメント区間１０１１に対して登録された区間コメントのうちの代表コメント１０３１を画面領域１０００の下端に表示してよい。
【００６０】
代表コメント１０３１は、コメント区間１０１１が再生されている間に表示され、コメント区間１０１１の再生が完了する時点において消えるように設定されてよい。コメント区間１０１１が１つの場面で構成されている場合、該当の場面を基準に一定の時間（例えば、５秒間）を再生時間として設定してよい。このとき、代表コメント１０３１のレイヤの色は、コメント区間１０１１をハイライト処理したインジケータ１００２の色と合わせて適用されてよい。
【００６１】
図１１に示すように、コメント提供部３２０は、動画の再生中に、以前のコメント区間１０１１の再生が終わって次のコメント区間１１１２が再生されるようになった場合、該当のコメント区間１１１２に対して登録された区間コメントのうちの代表コメント１１３２を表示してよい。この場合も同様に、コメント区間１１１２が再生される時点に合わせて画面領域１０００の下端に代表コメント１１３２が表示されるようになるが、このときの代表コメント１１３２のレイヤの色は、コメント区間１１１２を示すインジケータ１００２の色に合わせて適用されてよい。
【００６２】
他の例として、図１２を参照すると、コメント区間１１１２に対するハイライト方式により、インジケータを使用せず、コメント区間１１１２が再生されている間はプログレスバー８０１の色を変更する方式により、ハイライト処理することも可能である。言い換えれば、コメント提供部３２０は、動画の再生に合わせてデフォルト色のプログレスバー８０１を表示するが、コメント区間１１１２が再生されている時点においては、プログレスバー８０１の色を、デフォルト色から事前に定められたハイライト色に変更するとともに、コメント区間１１１２に対して登録された区間コメントのうちの代表コメント１１３２を表示してよい。このとき、代表コメント１１３２のレイヤの色は、コメント区間１１１２をハイライト処理するためのプログレスバー８０１の色と合わせて適用されてよい。
【００６３】
上述では、コメント区間をハイライト処理するための手段（インジケータまたはプログレスバー）それぞれに互いに異なる色を適用すると説明しているが、これに限定されることはなく、レイヤとして現在表示されている区間コメントがどの区間のコメントであるかマッチングするための方法であれば、すべて可能である。
【００６４】
コメント提供部３２０は、ハイライト処理されたコメント区間または代表コメントが表示されたレイヤの所定の位置をユーザが選択した場合、該当のコメント区間に対して登録されたすべての区間コメントを提供してよい。例えば、図１０において、コメント区間１０１１に対するインジケータ１００２または代表コメント１０３１をタップした場合、図１３に示すように、該当のコメント区間１０１１を示す映像情報１３１０と、該当のコメント区間１０１１に対してユーザが残した区間コメントリスト１３４０と、を含む区間コメント画面１３００が提供されてよい。このとき、区間コメント画面１３００は、動画内の一部分であるコメント区間に対してユーザが残したコメントリストを提供するものであって、これにより、動画全体ではなく、コメント区間を単位としてユーザが残したコメントを提供することができるようになる。区間コメント画面１３００には、コメント区間１０１１に対して区間コメントを登録することができるように、コメントをテキストで作成するためのインタフェース、音声形態のコメントを作成するためのインタフェース、絵文字やスタンプを入力するためのインタフェースなどが含まれてよい。また、区間コメント画面１３００には、区間コメントリスト１３４０に含まれるコメントに対して返信を登録することができる機能、「いいね」や「おすすめ」などの反応を登録することができる機能などがさらに含まれてよい。また、区間コメント画面１３００には、共通コメントと共に区間コメントを含むコメント全体を一度に見ることのできる画面に移動するための「全体表示」インタフェース１３７０がさらに含まれてよい。
【００６５】
図１４は、共通コメントおよび区間コメントを含むコメント全体画面１４００を示している。
【００６６】
図１４を参照すると、コメント全体画面１４００は、動画全体または一部の区間に対して登録されたコメント全体を確認するための画面であり、動画再生画面とは別の領域（例えば、サービスページの最下端）に表示されてよく、画面スクロールによってアクセスされてもよいし、図１３の区間コメント画面１３００で「全体表示」インタフェース１３７０を利用してアクセスされてもよい。
【００６７】
コメント全体画面１４００には、区間を特定せずに動画全体に対するコメントとして作成された共通コメント１４１０、１４３０と、動画内でコメント区間を特定し、該当の区間に対するコメントとして作成された区間コメント１４２０と、の両方が含まれてよい。このとき、区間コメント１４２０は、共通コメント１４１０、１４３０と区分できるように別のディスプレイ要素１４２１を表示したりハイライト処理したりするなど、共通コメント１４１０、１４３０とは異なる効果を適用してよい。
【００６８】
区間コメント１４２０それぞれについて、どの区間に対するコメントであるかの確認が可能なように、該当のコメント区間を示す映像情報１４２２が共に表示されてよく、映像情報１４２２が選択された場合（例えば、ダブルタップによって）、映像情報１４２２が示すコメント区間が再生される動画再生画面に直ぐに移動することのできる機能のインタフェースが含まれてよい。
【００６９】
コメント全体画面１４００には、共通コメントをテキストで作成するためのインタフェース、音声形態の共通コメントを作成するためのインタフェース、絵文字やスタンプを入力するためのインタフェースなどが含まれてよい。また、コメント全体画面１４００には、任意コメントに対して返信を登録することができる機能、「いいね」や「おすすめ」などの反応を登録することができる機能などがさらに含まれてよい。
【００７０】
このように、本発明の実施形態によると、動画内でユーザによって選択された一部の区間に対するハイライトおよびコメントを処理することにより、ユーザが実際に共感した映像区間に対するコメントを作成することができ、動画を再生する過程において、再生区間に合わせてハイライトおよびコメントを提供することにより、動画およびコメントを共に確認することができ、コメントに対するコンテキストおよび共感ポイントを容易に把握することができる。
【００７１】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００７２】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００７３】
実施形態に係る方法は、多様なコンピュータ手段によって実行可能なプログラム命令の形態で実現されてコンピュータ読み取り可能な媒体に記録されてよい。このとき、媒体は、コンピュータによって実行可能なプログラムを継続して記録するものであっても、実行またはダウンロードのために一時的に記録するものであってもよい。また、媒体は、単一または複数のハードウェアが結合された形態の多様な記録手段または格納手段であってよいが、あるコンピュータシステムに直接接続する媒体に限定されることはなく、ネットワーク上に分散して存在するものであってもよい。媒体の例としては、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含んでプログラム命令が記録されるように構成されたものであってよい。また、媒体の他の例としては、アプリケーションを配布するアプリケーションストアやその他の多様なソフトウェアを供給または配布するサイト、サーバなどで管理する記録媒体または格納媒体が挙げられる。
【００７４】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００７５】
したがって、異なる実施形態であっても、特許請求の範囲と均等なものであれば、添付される特許請求の範囲に属する。
【符号の説明】
【００７６】
３１０：コメント登録部
３２０：コメント提供部
【図１】
2019054510.tif 000003
【図２】
2019054510.tif 000004
【図３】
2019054510.tif 000005
【図４】
2019054510.tif 000006
【図５】
2019054510.tif 000007
【図６】
2019054510.tif 000008
【図７】
2019054510.tif 000009
【図８】
2019054510.tif 000010
【図９】
2019054510.tif 000011
【図１０】
2019054510.tif 000012
【図１１】
2019054510.tif 000013
【図１２】
2019054510.tif 000014
【図１３】
2019054510.tif 000015
【図１４】
2019054510.tif 000016